(57)【要約】【課題】ケースの破断に対して電力変換装置の更なる信頼性を向上させることである。【解決手段】本発明に係るケース構造は、樹脂成形された本体部と、前記本体部の樹脂材料と一体に形成されるとともに前記本体部から突出する突出部と、前記突出部に形成された貫通孔に嵌めあわされるカラー部と、を備え、前記突出部は、前記貫通孔を形成する貫通孔周辺部の一部に、当該突出部に係る応力に対して他の部分よりも優先的に破断する弱体部を形成する。【選択図】  図５
2016092086.tif 000002
【特許請求の範囲】
【請求項１】
樹脂成形された本体部と、 
前記本体部の樹脂材料と一体に形成されるとともに前記本体部から突出する突出部と、
前記突出部に形成された貫通孔に嵌めあわされるカラー部と、を備え、 
前記突出部は、前記貫通孔を形成する貫通孔周辺部の一部に、当該突出部に係る応力に対して他の部分よりも優先的に破断する弱体部を形成するケース構造。 
【請求項２】
請求項１に記載されたケース構造であって、 
前記弱体部は、前記貫通孔の貫通方向に沿って形成される溝であるケース構造。 
【請求項３】
請求項１に記載されたケース構造であって、 
前記突出部は、前記本体部と接続する接続部を有し、 
前記弱体部は、前記カラー部を挟んで前記接続部とは反対側に形成されるケース構造。 
【発明の詳細な説明】
【技術分野】
【０００１】
本発明は、ケース構造に関し、特に電力変換装置に用いられるコンデンサモジュールのケース構造に関する。
【背景技術】
【０００２】
ハイブリッド自動車や電気自動車に用いられる電力変換装置には、重量部品であるコンデンサモジュール等が収納され、様々な振動条件に曝される。そのためコンデンサモジュール等に使用されるケースに形成される固定部には、振動に対する様々な対策が講じられる。
【０００３】
電特開平１０−３１８２２０号公報に記載の技術では、ケースの固定部に形成された貫通孔の周辺部の一部に空間を作るギャップを備えている。残留応力開放のためのギャップであるが、応力に対してより優先的に破断する弱体部が他にあればそこで亀裂発生の恐れがある。 
ケースの破断に対する電力変換装置の更なる信頼性を高める必要がある。
【先行技術文献】
【特許文献】
【０００４】
【特許文献１】特開平１０−３１８２２０号公報
【発明の概要】
【発明が解決しようとする課題】
【０００５】
本発明の課題は、ケースの破断に対して電力変換装置の更なる信頼性を向上させることである。 
【課題を解決するための手段】
【０００６】
本発明に係るケース構造は、樹脂成形された本体部と、前記本体部の樹脂材料と一体に形成されるとともに前記本体部から突出する突出部と、前記突出部に形成された貫通孔に嵌めあわされるカラー部と、を備え、前記突出部は、前記貫通孔を形成する貫通孔周辺部の一部に、当該突出部に係る応力に対して他の部分よりも優先的に破断する弱体部を形成する。 
【発明の効果】
【０００７】
本発明により、ケースの破断に対して電力変換装置の更なる信頼性を向上させることができる。
【図面の簡単な説明】
【０００８】
【図１】本実施形態に用いられる電力変換装置１００の展開図である。
【図２】本実施形態に用いられる電力変換装置１００の別の角度の展開図である。
【図３】本実施形態に用いられるコンデンサモジュール１０４の展開図である。
【図４】正極側直流電源接続部２０５及び負極側直流電源接続部２０６側から見たコンデンサモジュール１０４である。
【図５】コンデンサケース３０２の開口部４０２側からから見たコンデンサモジュール１０４である。
【発明を実施するための形態】
【０００９】
本発明の実施するための形態を図面を用いて説明する。
【実施例１】
【００１０】
図１は、本実施形態に用いられる電力変換装置１００の展開図である。図２は、本実施形態に用いられる電力変換装置１００の別の角度の展開図である。
【００１１】
電力変換装置１００は、バッテリからの直流電力を交流電力に変換し、本実施形態においては、特に車両駆動用モータに交流電力を供給する大電力用の電力変換装置である。
【００１２】
筐体上部１０１は、金属製、例えばアルミニウム合金より構成され、一対の短辺壁部と長辺壁部とを有する箱状の直方体の上部である。 筐体下部１０７は、コンデンサモジュール１０４や基板ベース１０５、パワー半導体モジュール１０６、制御回路部１０２、及びドライバ回路１０３等を収納する。
【００１３】
図２に示される第１DCバスバ１０４Aは、コンデンサモジュール１０４のバスバであり、電源へ接続される。第２DCバスバ１０４Bは、コンデンサモジュール１０４のバスバであり、パワー半導体モジュール１０６へ接続される。 
筐体下部１０７は、コンデンサモジュール１０４やパワー半導体モジュール１０６を挿入するための開口部を形成する第１短辺側壁部１０７Ａと、第１短辺側壁部１０７Aと垂直をなしコンデンサモジュール１０４の電源バスバ側を形成する第１長辺側壁部１０７Ｂと、それに対向する第１長辺側壁部１０７Ｃと、第１短辺側壁部１０７Aと対向する第２短辺側壁部１０７Ｄと、を有する。 
ドライバ回路１０３は、基板ベース１０５をはさんでコンデンサモジュール１０４とパワー半導体モジュール１０６側に配置され、制御回路１０２はドライバ回路１０３とは反対側に基板ベース１０５をはさんで配置される。 
図３は、本実施形態に用いられるコンデンサモジュール１０４の展開図である。
【００１４】
コンデンサ素子２０１は、直流電力を平滑化し、パワー半導体モジュール１０６に直流電力を供給する。 正極側コンデンサ導体板２０２は、コンデンサ素子２０１の正極側電極とリード端子２０４を介して接続される。
【００１５】
負極側コンデンサ導体板２０３は、コンデンサ素子２０１の負極側電極とリード端子（不図示）を介して接続される。 正極側直流電源接続部２０５は、電源の正極側電極と接続される。負極側直流電源接続部２０６は、電源の負極側電極と接続される。
【００１６】
図４は、正極側直流電源接続部２０５及び負極側直流電源接続部２０６側から見たコンデンサモジュール１０４である。 
ノイズ除去用コンデンサ３０１は、コンデンサ素子２０１よりも小さい容量のコンデンサであり、ノイズによるリップル電流を平滑化する。 
コンデンサケース３０２は、コンデンサ素子２０１と正極側コンデンサ導体板２０２と負極側コンデンサ導体板２０３とノイズ除去用コンデンサ３０１を収納する。 
図５は、コンデンサケース３０２の開口部４０２側からから見たコンデンサモジュール１０４である。
【００１７】
封止材４０１は、コンデンサケース３０２の収納空間に充填される。開口部４０２は、コンデンサケース３０２の一面に形成される。
【００１８】
取付用突出部４０３は、コンデンサモジュール１０４を筐体下部１０７に固定する際に使用される。
【００１９】
カラー部４０４は、取付用突出部４０３に嵌められる。コンデンサーケース３０２の樹脂材料とカラー部４０４の材料の線膨張係数に差異があるため、取付用突出部４０３には残留応力が発生する。
【００２０】
コンデンサケース３０２は、樹脂成形された本体部を形成する。そして取付用突出部４０３は、コンデンサケース３０２の本体部の樹脂材料と一体に形成されるとともに本体部から突出する。
【００２１】
取付用突出部４０３には、カラー部４０４を嵌めあわせる貫通孔が、図面の奥行き方向に形成される。
【００２２】
弱体部４０５は、取付用突出部４０３にある貫通孔方向に沿って形成されている。つまり弱体部４０５は、貫通孔を形成する貫通孔周辺部の一部に、取付用突出部４０３に係る応力に対して他の部分よりも優先的に破断するように形成される。
【００２３】
残留応力による亀裂は場所をコントロールできず、保持に影響がある部分で亀裂の発生の恐れがある。このため残留応力がかかっても意図的に弱い部分である弱体部４０５を作ることで亀裂位置をコントロールすることができる。
【００２４】
また、弱体部４０５は、貫通孔の貫通方向に沿って形成される溝である。溝はカラー部４０４まで到達しておらず取付用突出部４０３の貫通孔の一部に空間を形成するギャップを作っているわけではない。そのためケース成形時エアベントや後処理工程が不要となる。
【００２５】
また、取付用突出部４０３の貫通孔により金型内で溶融樹脂の分流が起り、貫通孔を回り込んだときに再び合流する。溶融樹脂の流れが合流して融着しウェルドが発生する。 ウェルドは他の部分より優先的に亀裂発生の恐れがある。分流は本体部と接続する接続部から発生するため、その反対側にウェルドが発生する。 
そこで、本実施形態においては、取付用突出部４０３は、コンデンサケース３０２の本体部と接続する接続部を有し、弱体部４０５はカラー部４０４を挟んで接続部とは反対側に形成される。これにより亀裂発生場所をコントロールすることができる。 
【符号の説明】
【００２６】
１００…電力変換装置、１０１…筐体上部、１０２…制御回路部、１０３…ドライバ回路、１０４…コンデンサモジュール、１０４A …第１DCバスバ、１０４B…第２DCバスバ、１０５…基板ベース、１０６…パワー半導体モジュール、１０７…筐体下部、１０７Ａ…第１短辺側壁部、１０７Ｂ…第１長辺側壁部、１０７Ｃ…第１長辺側壁部、１０７Ｄ…第２短辺側壁部、２０１…コンデンサ素子、２０２…正極側コンデンサ導体板、２０３…負極側コンデンサ導体板、２０４…リード端子、２０５…正極側直流電源接続部、２０６…負極側直流電源接続部、３０１…ノイズ除去用コンデンサ、３０２…コンデンサケース、４０１…封止材、４０２…開口部、４０３…取付用突出部、４０４…カラー部、４０５…弱体部
【図１】
2016092086.tif 000003
【図２】
2016092086.tif 000004
【図３】
2016092086.tif 000005
【図４】
2016092086.tif 000006
【図５】
2016092086.tif 000007